(57)【要約】【課題】  掲示物用フレームについて、掲示物の取り出し方が外部から分かりにくく、簡単には盗難、いたずら等の被害を受けないようにする。また、掲示物の出し入れに工具を必要とせず、しかもフレーム構成材が確実に固定されるようにする。【解決手段】  広告、ポスターその他の掲示物をセットするチャネル溝を有する掲示物用フレームにおいて、一部のフレーム構成材１２を分離してフレーム本体１１のチャネル溝１４を開放し、掲示物１３を出し入れするために、フレーム本体１１のスライド溝部に抜き差し可能な差し込み部材１５をフレーム構成材１２に取り付け、差し込み部材１５をフレーム本体１１のスライド溝１６に差し込んでフレーム構成材１２をフレーム本体１１に固定するために、差し込み部材１５とフレーム本外１１との間に磁気吸着手段（１５、２７）を設ける。【選択図】          図２
0003110677.tif 000002
【実用新案登録請求の範囲】
【請求項１】
広告、ポスターその他の掲示物をセットするチャネル溝を有する掲示物用フレームにおいて、一部のフレーム構成材を分離してフレーム本体のチャネル溝を開放し、掲示物を出し入れするために、フレーム本体のスライド溝部に抜き差し可能な差し込み部材をフレーム構成材に取り付け、差し込み部材をフレーム本体のスライド溝に差し込んでフレーム構成材をフレーム本体に固定するために、差し込み部材とフレーム本体との間に磁気吸着手段を設けた構成を有するフレーム構成材のワンタッチ着脱装置。
【請求項２】
掲示用フレームは４辺形、フレーム構成材は４辺形の１辺であり、その１辺の両端から直角に突出する差し込み部材を取り付け、フレーム本体を構成している残り３辺の両端部
に、差し込み部材を抜き差し可能に差し込むスライド溝を配置し、差し込み部材は磁性体金属製とするとともに、差し込み部材の一部と磁気吸着可能な磁気片をスライド溝に設けた構成を有する請求項１記載の掲示物用フレームにおけるフレーム構成材のワンタッチ着脱装置。
【請求項３】
掲示用フレームは４辺形、フレーム構成材は４辺形の対向する２辺であり、２辺の夫々の両端から直角に突出する差し込み部材を夫々のフレーム構成材に取り付け、フレーム本体を構成している残る２辺の両端部に、差し込み部材を抜き差し可能に差し込むスライド溝を配置し、差し込み部材は磁性体金属製とするとともに、差し込み部材の一部と磁気吸着可能な磁気片を各スライド溝に設けた構成を有する請求項１記載の掲示物用フレームにおけるフレーム構成材のワンタッチ着脱装置。
【請求項４】
差し込み部材に差し込み方向の長溝を設け、長溝に係合してフレーム構成材の抜け止めとなるストッパーをフレーム本体に設けた請求項１記載の掲示物用フレームにおけるフレーム構成材のワンタッチ着脱装置。
【考案の詳細な説明】
【技術分野】
【０００１】
本考案は、広告、ポスターその他の掲示物をセットするチャネル溝を有する掲示物用フレームにおけるフレーム構成材のワンタッチ着脱装置に関するものである。
【背景技術】
【０００２】
例えば地下鉄のホームの壁面などに広告を掲示する場合、従来は、掲示物を取り付ける金属製のフレームが使用されて来た。掲示物を入れ換えるには、フレームを組み立てているビスやスプリング等を取り外す必要があり、作業時間が長引くという問題があった。また、最近ではフレームを裏ではなく表側から開けて、掲示物を入れ換える構造を持つものも使用されているが、誰にでも容易に開けられるために破損、盗難、いたずらの可能性が高まっている。
【０００３】
これに対して類似技術には第３０７７２４０号の考案があり、広告ポスターの上端に、左右枠部材の上端部に設けた係止部に係止固定される支持部材を取り付けた構成を開示している。しかし同考案における係止部の固定は着脱自在な係止であり、簡単に外れてしまうものである。また、第３０９２０２０号の考案は、額縁本体の側面に絵画等を挿入する挿入孔を具備し、絵画等の端部を挿入する挿入溝の箇所にマグネットを配置し、絵画等の端部に磁気体を備え、磁気固定する構成を開示している。しかし後者では絵画等に磁体性を備える必要があり、また額縁本体の側面に挿入孔が開いているため、簡単に絵画等を取り出されてしまう。
【０００４】
【特許文献１】実用新案登録第３０７７２４０号
【特許文献２】実用新案登録第３０９２０２０号
【考案の開示】
【考案が解決しようとする課題】
【０００５】
本考案は前記の点に着目してなされたもので、その課題は、掲示物の取り出し方が外部から分からず、簡単には盗難、いたずら等の被害を受けない掲示物用フレームにおけるフレーム構成材のワンタッチ着脱装置を提供することである。また本考案の他の課題は、掲示物の出し入れに工具を必要とせず、しかも確実に固定されるフレーム構成材のワンタッチ着脱装置を提供することである。
【課題を解決するための手段】
【０００６】
前記の課題を解決するため本考案は、広告、ポスターその他の掲示物をセットするチャネル溝を有する掲示物用フレームにおいて、一部のフレーム構成材を分離してフレーム本体のチャネル溝を開放し、掲示物を出し入れするために、フレーム本体のスライド溝部に抜き差し可能な差し込み部材をフレーム構成材に取り付け、差し込み部材をフレーム本体のスライド溝に差し込んでフレーム構成材をフレーム本体に固定するために、差し込み部材とフレーム本体との間に磁気吸着手段を設けるという手段を講じたものである。
【０００７】
本考案の対象とする掲示物用フレームは、広告やポスター、掲示板などとして利用され得るもので、チャネル溝に掲示物を挿入してセットする構造を有する。このためフレーム材料には引き抜き型材から成る金属材や、押し出し型材を構成する樹脂成形型材を使用して形成したフレームなどが該当し、そのみぞ型が掲示物のセットのためのチャネル溝等となる。
【０００８】
掲示用フレームは多くの場合４辺形であり、その一部のフレーム構成材である１辺をフレーム本体から分離して、チャネル溝の端部を開放し、掲示物を出し入れする構成を取
る。フレーム構成材には差し込み部材を取り付け、フレーム本体のスライド部に抜き差し可能としているので、差しこみ部材は、左右一対が平行に設けられる。例えば、掲示用フレームは４辺形、フレーム構成材は４辺形の１辺又は対抗する２辺であり、その１辺又は２辺の両端から直角に突出するように差し込み部材を取り付け、フレーム本体を構成している残り３辺又は２辺の両端部に、差し込み部材を抜き差し可能に差し込むスライド部を配置する。差し込み部材は磁性体金属製とするとともに差し込み部材の一部と磁気吸着可能な磁気片をスライド部に設けた構成とすることができる。また長方形の隅に斜辺や円形の面取りを有する場合、その面取り部の端に夫々差し込み部材を設けることになる。
【０００９】
しかし、差し込み部材の側に磁気片を設けるとともに、スライド溝の側に磁性体金属片を設けるようにしても作用、効果は請求項２又は３による場合と同様である。磁気片は、ねじ止め或いは接着などの手段によってスライド溝（或いは差し込み部材）に取り付けるものであり、磁気片と磁性体金属材による磁気吸着作用が、フレーム構成材をフレーム本体に固定する役割を果たすのであるが、本考案では強力な磁気片を使用することにより簡単には外れず、かつまた、外観上掲示物用フレームのどこにも取り付け取り外し箇所があらわれていないので、いたずらされる恐れが少ない。
【００１０】
広告会社など正当な立場の者が、フレーム構成を外すばあいには磁気吸着力を上回る力でフレーム構成材を引き抜けば良い。しかしそのままではフレーム構成材がフレーム本体から抜けてしまうため、本考案では差し込み部材に差し込み方向の長溝を設け、長溝に係合してフレーム構成材の抜け止めとなるストッパーをフレーム本体に設けている。長溝をフレーム本体側に設け、ストッパーを差し込み部材に設けても作用、効果は請求項４による場合と同様である。
【考案の効果】
【００１１】
本考案は以上の如く構成されかつ作用するものであるから、掲示物の取り出し方が外部から簡単には分からず、盗難やいたずら等の被害を受けにくいという効果があり、また磁気吸着作用によるワンタッチ着脱が可能であるから、工具を必要とせず、しかも確実に固定され、がたつくおそれもなく、地下鉄のホームの壁面等に掲示するものの着脱装置として好適である。
【考案を実施するための最良の形態】
【００１２】
以下図示の実施形態を参照して本考案を詳細に検討する。図１は本考案における掲示物用フレーム１０の例１を示す正面図であり、本フレーム１０は４辺形で、フレーム本体１１はその内左右及び下の３辺を有し、フレーム構成材１２はその残る上辺の１辺である。フレーム本体１１及びフレーム構成材１２は同一断面形状を有するアルミニウム製の引き抜き型材から成り、その函型の断面形状には、広告、ポスターその他の掲示物１３をセットするチャネル溝１４と、差し込み部材１５を挿入可能なスライド溝１６とを有してい
る。
【００１３】
例示の引き抜き型材からなるフレーム本体１１は、正面の縁取り枠１７の内側にチャネル溝１４を有している。チャネル溝１４は内方が開いているほか３方は閉じており、開いた内方の先では内側縁１８が内周を仕切っているが、その高さはチャネル溝１４の高さよりも低く、掲示物１３を差し込み得る段差状のスペースを提供している。函型断面の内部には仕切り壁１９があり、それよりも後側に、前述のスライド溝１６が位置している。なお、チャネル溝１４、スライド溝１６、仕切り壁１９は、フレーム本体１１は勿論のことフレーム構成材１２にも全域にわたって設けられているが、型枠を用いない場合には左右又は上下など平行する辺部に備わっていれば良い。
【００１４】
差し込み部材１５は、いわゆるアングル状またはＬ字形状であり、磁性体金属として鋼板を用いて形成されている。差し込み部材１５は、フレーム本体１１のスライド溝１６と同じ位置にある取り付け溝２１に嵌め込んだ基部２２を有し、これをフレーム構成材１２にねじ止めすることで取り付けられ、それによってフレーム構成材１２の両端から直角に突出するようになる（図１参照）。例示した差し込み部材１５は差し込み方向に伸びた長溝２３を有しており、この長溝２３はフレーム本体１１のチャネル部２４に配置されるように設けられている（図３、４参照）。
【００１５】
長溝２３に係合してフレーム構成材１２の抜け止めとなるストッパー２５がフレーム本体１１に設けられている。例示のストッパー２５はフレーム本体１１にねじ止めした軸状部材であり、長溝２３の内方端２６と係止して抜け止めとなる（図１、２参照）。磁気吸着手段は磁性体金属製の前記差し込み部材１５と、磁石片２７とから構成されている。例示の磁石片２７はネオジミウム磁石等から成る強力なもので、フレーム本体１１に止めねじ２８を用いて確固に取り付けられている。磁石片２７の取り付け位置は、差し込み部材１５が十分に差し込まれ、フレーム本体１１とフレーム構成材１２とが傾斜面２９にて隙間なく接触した状態となるような位置に正確に設定する。
【００１６】
故に、フレーム構成材１２を、差し込み部材１５のスライド溝１６へ差し込み、差し込み部材１５を磁気片２７と磁気吸着させることによって、完全な４辺形状の掲示物用フレーム１０となる。このとき傾斜面２９は他の３隅の傾斜面と全く同じ外観となり、ねじも外面にあらわれないので、どこから分解すべきかは分からない。掲示物１３をセットするには、フレーム構成材１２を強く引いてその差し込み部材１５と磁気片２７との磁気吸着を外し、チャネル溝１４を開放してから、掲示物１３を単独で、或いは透明カバー３１に収め、縁部をチャネル溝１４に挿入して行えば良い。
【００１７】
上記の構成、作用は上辺１辺だけを抜き差しする場合に限らず、対向する左右２辺を抜き差しする場合、或いは上下２辺を抜き差しする場合にも当て嵌まる。その例２を図５に示すと、これは左右２辺をフレーム構成材１２、１２′とし、上下２辺をフレーム本体１１、１１′としたもので、差し込み部材１５、１５′を左右のフレーム構成材１２、
１２′に設けて、フレーム本体側のスライド溝１６、１６′に左右へ抜き差し可能に差し込み、また長溝２３、２３′を夫々の差し込み部材１５、１５′に設けてストッパー２５、２５′により抜け止めを施すことなど、例１と全く同じ構成を適用している。よって、他の構成は、例１の符号にダッシュを付けて示すことにより詳細な説明に代えるものとする。例２の場合ストッパー２５、２５′は単なる抜け止めにとどまらず、上下２辺のフレーム本体１１、１１′をつなぎ止めておく役割も担っている。差し込み部材１５、１５′は、フレーム本体１１、１１′とフレーム構成材１２、１２′を結合しておく手段であ
り、補強のためにスライド溝１６、１６′を設けずに全体を同様の形状に形成した部材を裏側に重ね合わせるなどの対策を講じることができる。
【産業上の利用可能性】
【００１８】
本考案は地下鉄等の駅の壁などのほか、様々な箇所に取り付けて利用可能であり、壁
のように静止しているもの以外にも例えば列車の内外の側面、バスの側面その他任意の壁面、表面等に取り付けて利用可能である。
【図面の簡単な説明】
【００１９】
【図１】本考案に係る掲示物用フレームにおけるフレーム構成材のワンタッチ着脱装置の例１を示す正面図。
【図２】同上装置の要部を示す部分斜視図。
【図３】同上部分の使用状態（差し込み位置）を示すもので、Ａは正面図、Ｂは縦断面図。
【図４】同じく使用状態（抜き出し位置）を示すもので、Ａは正面図、Ｂは縦断面図。
【図５】本考案の例２を示す正面図。
【符号の説明】
【００２０】
１０  掲示物用フレーム
１１  フレーム本体
１２  フレーム構成材
１３  掲示物
１４  チャネル溝
１５  差し込み部材
１６  スライド溝
１８  内側縁
２１  取り付け溝
２２  基部
２３  長溝
２４  チャネル部
２５  ストッパー
２７  磁石片
【図１】
0003110677.tif 000003
【図２】
0003110677.tif 000004
【図３】
0003110677.tif 000005
【図４】
0003110677.tif 000006
【図５】
0003110677.tif 000007